(57)【要約】      （修正有）【課題】燃料電池に用いる集電板を提供する。【解決手段】  燃料電池に用いる集電板は、プリント回路板を基材とする板体と、この板体の表面上に設置された少なくとも１個以上の集電回路を含む。そして、集電板の製造方法は、膜電極接合体の形状と面積の大きさに基づいて、対応する集電板を製造することができ、且つ、容易に製造でき、また、コストが低廉という長所を兼備していることを特徴とする。【選択図】図１
0003119497.tif 000002
【実用新案登録請求の範囲】
【請求項１】
燃料電池に用いる集電板において、
プリント回路板を基材とする板体と、
導電材料で、且つ、該板体の表面上に設置された、少なくとも1個以上の集電回路を含むことを特徴とする、集電板。
【請求項２】
請求項1記載の集電板において、その集電回路は、該板体上を被覆する金属箔で製造されることを特徴とする、集電板。
【請求項３】
請求項1記載の集電板において、その集電回路は、既製の集電回路で、且つ、更に該板体の表面上にラミネートすることを特徴とする、集電板。
【請求項４】
請求項1記載の集電板において、その集電回路は、それぞれ該板体の表面と裏面に設置されることを特徴とする、集電板。
【請求項５】
請求項1記載の集電板において、その集電回路は、ネットワーク構造の集電回路であることを特徴とする、集電板。
【請求項６】
請求項1記載の集電板において、その集電回路は、フレーム構造で、且つ、その中間区域が中空を呈する集電回路であることを特徴とする、集電板。
【請求項７】
請求項1記載の集電板において、その集電回路は、線で組成された平面構造の集電回路であることを特徴とする、集電板。
【請求項８】
請求項1記載の集電板において、その集電回路の表面は、保護、及び/或いは、耐酸処理を経ていることを特徴とする、集電板。
【請求項９】
請求項1記載の集電板において、その集電回路の表面は、導電性が良好な金属材質を塗布することを特徴とする、集電板。
【請求項１０】
請求項1記載の集電板において、その集電回路が属する区域範囲内において、複数個の貫通孔を設置することを特徴とする、集電板。
【請求項１１】
請求項1記載の集電板において、その板体は、銅箔のプリント回路板であることを特徴とする、集電板。
【請求項１２】
請求項1記載の集電板において、更に一歩進んで、該板体に設置された少なくとも1個以上の回路部品を含むことを特徴とする、集電板。
【請求項１３】
請求項1記載の集電板において、更に一歩進んで、該板体に設置された電気インターフェースを含むことを特徴とする、集電板。
【請求項１４】
請求項13記載の集電板において、その電気インターフェースは、金端子であることを特徴とする、集電板。
【請求項１５】
請求項13記載の集電板において、その電気インターフェースは、コネクタであることを特徴とする、集電板。
【請求項１６】
請求項13記載の集電板において、その電気インターフェースは、ケーブル線であることを特徴とする、集電板。
【請求項１７】
請求項13記載の集電板において、その電気インターフェースは、1本のコネクタを具えたケーブル線を含むことを特徴とする、集電板。
【考案の詳細な説明】
【技術分野】
【０００１】
本考案は、燃料電池に用いる集電板に関り、特に集電板がプリント回路板を製造基材として用い、且つ容易に製造できまたコストが低廉であるという長所を兼備することである。
【背景技術】
【０００２】
従来の燃料電池ユニットの構成部材には、陽極集電板、陰極集電板、少なくとも1個以上の膜電極接合体を含み、そしてこれら構成部材を相互に密接に合着することによって、燃料電池体の組み立てを完了することができる。これにより、某型番の燃料電池ユニットに適用する陽極集電板と陰極集電板は、その他の異なる型番の燃料電池ユニットに必ずしも適用できなかった。さらに、従来の陽極集電板と陰極集電板の構造設計も構造が多種多様な変化の膜電極接合体に適用することが難しく、特に新開発の膜電極接合体に対し、従来の陽極集電板と陰極集電板の構造設計を明確に適用することができないため、このような状況下において、この新開発された膜電極接合体の品質の良し悪しを検証できず、更にこの新しい膜電極接合体の品質について改めて陽極集電板と陰極集電板を製造することでのみ、テストをスムーズに実施できる。
【０００３】
本考案の考案者は、従来の集電板の欠陥に鑑み、改良に努めることで、一種の容易に製造でき且つコストが低廉である集電板を創作した。
【考案の開示】
【考案が解決しようとする課題】
【０００４】
本考案の主要目的は、燃料電池に用いる集電板を提供することにあり、プリント回路板を製造基材として用い、且つ容易に製造できまたコストが低廉な長所を兼備している。
【０００５】
本考案の別の目的は、燃料電池に用いる集電板を提供することにあり、膜電極接合体の形状と面積の大きさに基づいて、対応する集電板を製造し、且つ容易に製造できまたコストが低廉な長所を兼備している。
【課題を解決するための手段】
【０００６】
上記の目的を達成するため、本考案が提供した燃料電池に用いる集電板には、プリント回路板を基材とする板体と、該板体の表面上に設置された少なくとも1個以上の集電回路を含む。
【０００７】
該項目を熟知する技術者に本考案の目的、特徴、及び、効果を理解してもらうため、下記の具体的な実施例を介すると共に付属の図式を組み合わせ、本考案に対する詳細な説明を以下のとおり行うものである。
【考案の効果】
【０００８】
本考案の集電板の長所及び効果は明らかに増進の道をたどっており、それはいかのとおりである。
本考案の集電板は、プリント回路板を用いて製造することができ、その製造コストが低く且つ容易に製造でき、産業上の利用価値が十分備わっている。
本考案の集電板は集電機能を具えている以外に、また回路部品及び電気インターフェースを統合して、多機能を具えた集電板と言うことができる。
【実施例】
【０００９】
図1は、本考案である燃料電池に用いる集電板の見取図で、図２が本考案である図１の側面図である。本考案の集電板1は、主に板体11及び1個以上の集電回路13を含んでいる。本考案の集電板1は、例えばプリント回路板を用いて製造することができ、例えば銅箔のプリント回路板、銅箔のプリント回路板をプリント回路板の製造工程を利用してこれら集電回路13を形成し、形成された集電回路13の形状と面積の大きさは、製造時に膜電極接合体(図に表示していない)の形状と面積に合わせるように考慮し、例えば四角形の膜電極接合体に合わせる場合、集電回路13も四角形の構造を採ることができる。しかし、前記四角形構造の集電回路13は、本考案内の実施例の一つでしかなく、本考案の集電回路13は四角形構造に限定されることが無いものとする。
【００１０】
集電回路13の材料は、例えば銅箔のような導電材料でプリント回路板の表面、金属薄片、金属箔、グラファイトシートで被覆する。集電回路13の製造方法は、下記の2種類の方法を用いることができる。1番目の方法は、本来板体11の表面を被覆した金属箔を利用して集電回路13を形成する。2番目の方法は、集電回路13と板体11を分けて製造してそれぞれを独立した単一部品とし、最後に集電回路13を板体11の表面上にラミネートする。
【００１１】
集電回路13の構造は、前記四角形の構造を用いる以外に、例えばフレーム構造の中間区域が中空を呈したものや、またネットワーク構造、或いは線で組成された平面構造などを用いることができる。
【００１２】
本考案の集電板1は、1枚の陽極集電板、或いは1枚の陰極集電板とすることができ、これにより集電回路13が異なる燃料の状況に対応させるため、本考案は更に一歩進んで集電回路13の表面において、更に保護処理、耐酸処理、導電性が良好な金属材質の塗布などの措置を施し、これにより集電回路13を強化して燃料の侵食破壊を受けることが無く、同時に、集電回路13の集電効果を強化することができる。
【００１３】
図３を見ると、本考案の集電板1は集電機能を具えている以外に、且つ板体11に1個以上の回路部品15を設置し、この回路部品15を例えば能動部品、受動部品、検出部品、集積回路部品、マイクロコントローラ、定電圧調整器、定電流調整器などとすることができる。そして、図４を見ると、集電板1は更に一歩進んで電気インターフェース17を設置し、電気インターフェース17の具体的な態様として金端子、コネクタ、ケーブル線或いは1本のコネクタを具えたケーブル線とすることができる。電気インターフェース17を介して、本考案の集電板1は更に外部に対する信号の伝送チャンネルを具えることができる。
【００１４】
集電回路13は、それぞれ板体11の表面と裏面に形成し、例えば両面銅箔のプリント回路板を用いて、両面に集電回路13を具えた集電板1を製造することができる。当然、集電回路13は板体11の片面を形成し、例えば片面銅箔のプリント回路板を用いて、片面に集電回路13を具えた集電板1を製造することができる。さらに、各集電回路13が属するエリア範囲以内において、複数個の貫通孔(図に表示していない)を設置して、燃料を対応する膜電極接合体まで流入させることができる。
【００１５】
本考案の集電板1は各種の燃料電池に応用することができ、例えばメタノール型燃料電池、或いは液体燃料型燃料電池、ガス型燃料電池、固体型燃料電池などに応用することができる。
【００１６】
本考案は、具体的な実施例で上記のとおりに開示したが、開示した具体的な実施例が本考案として限定的に用いることではなく、該項目を熟知する技術者は本考案の精神と範囲に基づき各種の改変と修飾を行なうことができ、行なった改変或いは修飾も全て本考案の保護範疇にあり、本考案の保護範囲は、実用新案登録請求の範囲に定義するものを基準とする。
【図面の簡単な説明】
【００１７】
【図１】本考案の燃料電池に用いる集電板の見取図である。
【図２】本考案の図１の側面図である。
【図３】本考案の更に一歩進んで回路部品を板体に設けて変化させた実施例の見取図である。
【図４】本考案の更に一歩進んで電気インターフェースを板体に設けて変化させた実施例の見取図である。
【符号の説明】
【００１８】
1     集電板
11    板体
13    集電回路 
15    回路部品
17    電気インターフェース
【図１】
0003119497.tif 000003
【図２】
0003119497.tif 000004
【図３】
0003119497.tif 000005
【図４】
0003119497.tif 000006